(57)【特許請求の範囲】
【請求項１】
一端にワンタッチで鶴首が取り付けられる台座を有し、他端に給水管を接続するための接続部を有する水栓台座によって洗面台などの取付対象に固定される水栓蛇口において、
前記水栓蛇口の中心部に設けられ、上端周囲に前記鶴首が接続される台座部を有し、下端に前記給水管が接続される接続部を有し、周囲にネジ山が設けられた通水路部材と、
前記取付対象に設けられた穴の上縁に係止するフランジ部材と、
ほぼ円筒状の外形を有し、内周面に前記通水路部材のネジ山と係合するネジ溝が設けられ、外周および内周間を揺動して外周および内周から出没しうるように設けられた複数の揺動爪片を有するナット部材と、
前記ナット部材を前記フランジ部材から所定範囲で上下動可能に吊り下げるための吊り下げ部材とをそなえ、
前記通水路部材を前記ナット部材にねじ込むことにより前記複数の揺動爪片を外方に突出させるとともに、前記フランジ部材と前記複数の揺動爪片との間に前記取付対象を締め込むようにしたことを特徴とする水栓蛇口。
【請求項２】
請求項１記載の水栓蛇口において、
前記吊り下げ部材は、前記フランジ部材から前記ナット部材に挿通されたワイヤである水栓蛇口。
【請求項３】
請求項１記載の水栓蛇口において、
前記ナット部材は、外周に設けられたバンドに前記揺動爪片を係止するようにした水栓蛇口。
【発明の詳細な説明】
【０００１】
【発明の属する技術分野】
本発明は、洗面台などに設けられる水栓蛇口に係り、とくに洗面台などの上方から取付工事を行うようにしたものに関する。
【０００２】
【従来の技術】
水栓蛇口をたとえば洗面台に取り付けるには、洗面台に台座を固定して台座下側に給水管を固定し、上側に鶴首を取り付ける。そして、給水管を取り付ける作業は洗面台の裏側で行い、鶴首の取付は洗面台の上側で行う。
【０００３】
【発明が解決しようとする課題】
ここで、鶴首はワンタッチ取付方式のものもあり、簡単に取付けできる。これに対して、台座の取付は極めて作業性が悪いのが普通である。
【０００４】
すなわち、台座をたとえば洗面台に取り付けるには、台座を洗面台の裏側からネジ固定するようにしている。洗面台は、通常の場合、壁面に取付けられているから洗面台の裏側は非常に狭い空間であって作業性が悪い。そのため、ネジを固定するのに相当の時間が掛かることが屡々である。その上に、台座への給水管の接続作業を行うので、洗面台の裏側での作業のために多大の時間を要する。
【０００５】
本発明は上述の点を考慮してなされたもので、台座の取付を洗面台の上部で行い得る水栓蛇口を提供することを目的とする。
【０００６】
【課題解決のための手段】
上記目的達成のため、本発明では、
一端にワンタッチで鶴首が取り付けられる台座を有し、他端に給水管を接続するための接続部を有する水栓台座によって洗面台などの取付対象に固定される水栓蛇口において、
前記水栓蛇口の中心部に設けられ、上端周囲に前記鶴首が接続される台座部を有し、下端に前記給水管が接続される接続部を有し、周囲にネジ山が設けられた通水路部材と、
前記取付対象に設けられた穴の上縁に係止するフランジ部材と、
ほぼ円筒状の外形を有し、内周面に前記通水路部材のネジ山と係合するネジ溝が設けられ、外周および内周間を揺動して外周および内周から出没しうるように設けられた複数の揺動爪片を有するナット部材と、
前記ナット部材を前記フランジ部材から所定範囲で上下動可能に吊り下げるための吊り下げ部材とをそなえ、
前記通水路部材を前記ナット部材にねじ込むことにより前記複数の揺動爪片を外方に突出させるとともに、前記フランジ部材と前記複数の揺動爪片との間に前記取付対象を締め込むようにしたことを特徴とする水栓蛇口、
を提供するものである。
【０００７】
【発明の実施の形態】
図１は、本発明に係る水栓蛇口周りの全体構成を示したものである。図１に示すように、この構成は、洗面台のボウル近傍に取り付けられる蛇口が、水の注ぎ口である鶴首１０、この鶴首１０を支持しかつ鶴首と連通する通水路を有する台座２０、および台座２０に接続されて水を供給する給水管３０とを有する。
【０００８】
鶴首１０の台座２０への固定は、図示しない鶴首１０の下部および台座２０の上端に設けられたラッチ機構によりワンタッチ操作で行い、作業自体は最終段階で行う。
【０００９】
台座２０と給水管３０との接続は、台座２０を洗面台に固定する前に行っておく。そのために、給水管３０の最も台座２０寄りの部分はフレキシブル管として、台座２０とともに洗面台の上部に引き出せるようにしておき、台座２０の設置工事の終了後に、図示しないワンタッチコネクタを用いて壁面から突出した図示しない水道管に接続する。
【００１０】
図２は、図１における鶴首１０、台座２０をより詳細に分解図示したものである。鶴首１０は、注水口１１ａ、基部１１ｂおよび水路接続部１１ｃ、それに操作ボタン１２からなり、図示しない下部に台座２０に固定するためのラッチ構造を有する。
【００１１】
台座２０は、洗面台の取付穴に上方から挿入される固定台座２１に対し、その上方から蛇口台座２２が差し込まれ、この蛇口台座２２のネジ部がナット部２６にねじ込まれる。そして、蛇口台座２２には、その中心部に鶴首１０の水路接続部１１ｃが挿入される通水路２４が設けられ、この通水路２４の入り口周囲は鶴首１０の基部１１ｂが載置される平面部が形成されている。
【００１２】
台座２０の上端は、台座２０自体を洗面台に固定するための台座であると同時に、鶴首１０を取り付けるための台座として構成されている。すなわち、円形フランジ状の台座２１の中央に、円盤状に隆起した蛇口台座２２が設けられ、この蛇口台座２２の周面に一対のラッチ溝２３が設けられており、このラッチ溝２３を用いて鶴首１０と台座２０とのワンタッチ固定が行われる。
【００１３】
図３は、固定台座２１と蛇口台座２２との取付関係を分解図示したものである。
蛇口台座２２は、円盤状の上部の下方に径の異なる２段のネジ部２５が形成されている。大径ネジ部２５ａは、固定台座２１のナット部２６の内周面に切られたネジと係合して蛇口台座２２を固定台座２１に固定するためのものであり、小径ネジ部２５ｂは、給水管３０を接続するためのものである。
【００１４】
他方、固定台座２１は、ナット部２６に対してワイヤ２７によって連結されており、ワイヤ２７はその両端がそれぞれ折り曲げられて上端で固定台座２１の上面に露出し、下端では図示しないが、ナット部２６の下面に露出した状態となっている。これにより、固定台座２１とナット部２６とは、ワイヤ２７によって上下方向および回転方向の所定範囲内で互いに移動可能なように結合されている。（ここで、ワイヤ２７は、強度向上のために固定台座２１と一体鋳造されることもある。）
したがって、固定台座２１に蛇口台座２２をねじ込んでいくと、ナット部２６は極く僅かの共回りをし、その後は蛇口台座２２がねじ込まれていく。このとき、後述するように、ナット部２６の外周面から揺動爪２８が徐々に角度を変えていき突出していく。
【００１５】
図４（ａ）ないし（ｃ）は、ナット部２６に設けられた揺動爪２８の出没する様子を示したものである。図４（ａ）は、ナット部２６の側面形状を示したものであり、ナット部２６はほぼ短円筒状をなし、その外周面にたとえば４カ所の揺動爪２８を設けるための縦長の凹部が設けられている。そして、この凹部を横断するように周方向に２本の溝が適宜間隔を明けて設けられ、各溝にはステンレススティール製のバンド２９が嵌装されており、これらのバンド２９により揺動爪２８が支持される。
【００１６】
図４（ｂ）および（ｃ）は、ナット部２６を揺動爪２８が設けられている位置で切断した縦断面を示している。揺動爪２８は、側面形状がほぼＬ字型であり、その縦部分内側の上部と下部にバンド溝が形成されており、上部のバンド溝を中心にして揺動し、下部のバンド溝により揺動範囲が規制される。そして、図４（ｂ）が揺動爪２８を内側から押し出して最も突出させた状態を示し、図４（ｃ）が揺動爪２８に何ら作用力を与えずに自然状態においた姿勢を示している。
【００１７】
すなわち、蛇口台座２２をナット部２６にねじ込んだ状態では、蛇口台座２２の大径ネジ部２５ａのネジ山によって揺動爪２８の背面が押されて揺動し、徐々に角度を変えていき、その結果、ナット部２６の外周面から図４（ｂ）の状態まで突出する。これにより、固定台座２１の下面と揺動爪２８の突出部との間に、洗面台が挟持される。蛇口台座２２を強固に締め込むことにより、固定台座２１を洗面台に固定できる。
【００１８】
そして、洗面台の取付穴内に固定台座２１を通すときは、まだ蛇口台座２２がねじ込まれていないから、図４（ｃ）に示すように揺動爪２８が内方に入り込んだ状態であり、固定台座２１を簡単に洗面台の取付穴内に挿入することができる。
【００１９】
図５ないし図７は、本発明に係る水栓蛇口の組立過程を示したものである。まず図５（ａ）は、固定台座２１を洗面台に挿入する段階である。次いで図５（ｂ）に示すように、蛇口台座２２を固定台座２１に挿入する。このとき既に、給水管３０が蛇口台座２２の小径ネジ部に取り付けられており、給水管のワンタッチコネクタが取り付けられている先端から固定台座２１の中心に設けられた穴内に挿入していく。
【００２０】
図６（ａ）は、固定台座２１に挿入された蛇口台座２２を時計方向に回転させて蛇口台座２２の大径ネジ部をナット部２６内にねじ込んでいき、揺動爪２８を突出させていく段階を示している。そして、図６（ｂ）に示すように、蛇口台座２２を十分にねじ込んだ状態では、揺動爪２８が最大限に外方に突出し、固定台座２１のフランジと揺動爪２８との間に洗面台の壁材が挟持された状態となる。図７（ａ）は、蛇口台座２２をねじ込んだ状態で専用工具をラッチ溝に掛けて増し締めを起こっている段階を示している。これにより、蛇口台座２２が固定台座２１に対して強固に固定される。次いで、図７（ｂ）に示すように、蛇口台座２２に鶴首１０を装着する。これは、鶴首１０の水路接続部１１ｃを蛇口台座２２の通水路２４に挿入して、鶴首１０を反時計方向に回動させることによりワンタッチで行える。
【００２１】
この後、給水管３０を図示しない水道管にワンタッチコネクタにより接続し、さらに蛇口台座２２に鶴首１０を取り付けて接続工事が完了する。
【００２２】
【発明の効果】
本発明は上述のように、台座を揺動爪を持った固定台座と、この固定台座にねじ込み固定される蛇口台座とにより構成したため、固定台座を設置して蛇口台座を固定台座にねじ込み固定する際に揺動爪が外方に突出して固定台座と協働して台座を洗面台などの取付対象に固定するため、台座の取付を洗面台の上部で行うことができる。このため、水栓の取付、取り外しが極めて簡単になり、作業性の大幅な改善が図れる。
【図面の簡単な説明】
【図１】図１は、本発明に係る水栓蛇口周りの全体構成を示した説明図。
【図２】図１に示した水栓蛇口の部分拡大説明図。
【図３】図１および図２に示した固定台座２１および蛇口台座２２の拡大分解説明図。
【図４】図４（ａ）は図１ないし図３に示した固定台座２１のナット部２６の側面図、図４（ｂ）は縦断面図。
【図５】図１および図２に示した水栓蛇口の取付工事の段階的説明図。
【図６】図５に続く、図１および図２に示した水栓蛇口の取付工事の段階的説明図。
【図７】図６に続く、図１および図２に示した水栓蛇口の取付工事の段階的説明図。
【符号の説明】
１０  鶴首
１１ａ  注水口
１１ｂ  基部
１１ｃ  水路接続部
１２  操作ボタン
２０  台座
２１  固定台座
２２  蛇口台座
２３  ラッチ溝
２４  通水路
２５ａ  大径ネジ部
２５ｂ  小径ネジ部
２６  ナット部
２７  ワイヤ
２８  揺動爪
２９  バンド
３０  給水管
【図１】
0004156104.tif 000002
【図２】
0004156104.tif 000003
【図３】
0004156104.tif 000004
【図４】
0004156104.tif 000005
【図５】
0004156104.tif 000006
【図６】
0004156104.tif 000007
【図７】
0004156104.tif 000008